(57)【要約】【課題】強制的な放電を行うことなく、劣化など、蓄電池の異常を判定すること。【解決手段】組電池６０を構成する蓄電池の劣化を判定するための蓄電池管理装置１０において、前記蓄電池の端子間電圧を定期的に測定して、その測定結果を電圧記憶部４１に記憶する電圧測定部１１と、前記蓄電池の充放電電流に、所定の変動があったことを検出する変動検出部２２と、電圧記憶部４１から、前記変動の前後に測定された端子間電圧を取得して、その変化量を取得する変化量取得部２１と、変化量取得部２１により取得された変化量に基づき、前記蓄電池の異常の有無を判定する異常有無判定部２４と、を含んだことを特徴とする。【選択図】図１
2007271583.tif 000002
【特許請求の範囲】
【請求項１】
蓄電池の劣化を判定するための蓄電池管理装置であって、
前記蓄電池の端子間電圧を定期的に測定して、その測定結果を電圧記憶部に記憶する電圧測定部と、
前記蓄電池の充放電電流に、所定の変動があったことを検出する充放電電流変動検出部と、
前記電圧記憶部から、前記変動の前後に測定された端子間電圧を取得して、その変化量を取得する端子間電圧変化量取得部と、
前記端子間電圧変化量取得部により取得された変化量に基づき、前記蓄電池の異常の有無を判定する異常有無判定部と、
を含むことを特徴とする蓄電池管理装置。
【請求項２】
請求項１に記載の蓄電池管理装置において、
前記異常有無判定部は、前記端子間電圧変化量取得部により取得された変化量と、前記充放電電流変動検出部により検出された変動の変動量と、に基づいて、前記蓄電池の異常の有無を判定する、
ことを特徴とする蓄電池管理装置。
【請求項３】
請求項２に記載の蓄電池管理装置において、
前記蓄電池の、所定の時点での内部インピーダンスを記憶する内部インピーダンス記憶部、
をさらに含み、
前記異常有無判定部は、前記端子間電圧変化量取得部により取得された変化量と、前記充放電電流変動検出部により検出された変動の変動量と、に基づいて求められる前記蓄電池の内部インピーダンスと、前記内部インピーダンス記憶部に記憶される内部インピーダンスと、を比較することにより、前記蓄電池の異常の有無を判定する、
ことを特徴とする蓄電池管理装置。
【請求項４】
請求項３に記載の蓄電池管理装置において、
前記端子間電圧変化量取得部により取得された変化量と、前記充放電電流変動検出部により検出された変動の変動量と、に基づいて前記蓄電池の内部インピーダンスを算出する算出部、
をさらに含み、
前記異常有無判定部は、所定回数にわたり前記算出部により算出された内部インピーダンスの平均を、前記記憶部に記憶される内部インピーダンスと比較する、
ことを特徴とする蓄電池管理装置。
【請求項５】
請求項１乃至４のいずれか１項に記載の蓄電池管理装置において、
前記異常有無判定部により前記蓄電池に異常があると判定された場合に、その旨をユーザに対して通知する通知部、
をさらに含むことを特徴とする蓄電池管理装置。
【請求項６】
請求項１乃至５のいずれか１項に記載の蓄電池管理装置において、
前記蓄電池の平均環境温度を取得する平均環境温度取得部と、
前記平均環境温度に基づき、前記蓄電池の寿命を推定する寿命推定部と、
をさらに含むことを特徴とする蓄電池管理装置。
【請求項７】
請求項６に記載の蓄電池管理装置において、
前記蓄電池の充放電電流の１日の変動を示す変動推移情報を、日種別ごとに記憶する変動推移情報記憶部と、
当日の日種別を取得する当日日種別取得部と、
前記寿命推定部により推定された寿命に基づき、前記蓄電池の容量を推定する蓄電池容量推定部と、
前記当日の日種別に対応付けて記憶される変動推移情報と、前記蓄電池容量推定部により推定された容量と、に基づき、前記蓄電池の持ち時間を推定する持ち時間推定部と、
をさらに含むことを特徴とする蓄電池管理装置。
【請求項８】
請求項１に記載の蓄電池管理装置において、
当該蓄電池管理装置は、複数の前記蓄電池により構成される組電池の劣化を判定するために用いられ、
前記電圧測定部は、前記組電池の端子間電圧を定期的にさらに測定して、その測定結果を記憶し、
前記充放電電流変動検出部は、前記組電池の充放電電流に所定の変動があったことをさらに検出し、
前記異常有無判定部は、前記端子間電圧変化量取得部により取得された前記各蓄電池の端子間電圧の変化量と、前記充放電電流変動検出部により検出された前記各蓄電池の充放電電流の変動の変動量と、に基づいて求められる前記各蓄電池の内部インピーダンスと、前記端子間電圧変化量取得部により取得された前記組電池の端子間電圧の変化量と、前記充放電電流変動検出部により検出された前記組電池の充放電電流の変動の変動量と、に基づいて求められる前記組電池の内部インピーダンスと、に基づき、前記組電池の異常の有無を判定する、
ことを特徴とする蓄電池管理装置。
【発明の詳細な説明】
【技術分野】
【０００１】
本発明は蓄電池管理装置に関し、特に蓄電池の劣化を判定するための技術に関する。
【背景技術】
【０００２】
電源システムには、組電池と呼ばれる電池構成を採用しているものがある。この組電池は、複数の蓄電池を直列、並列、又は直並列に組み合わせたものである。
【０００３】
組電池を構成する個々の蓄電池に劣化が発生した場合には、劣化した蓄電池を取り替える必要がある。このため組電池では、個々の蓄電池の劣化を判定する必要があり、そのための技術が従来から種々提案されている。以下に、この技術の例を２つ示す。
【０００４】
蓄電池の端子間電圧は放電が進むにつれて低下するが、劣化した蓄電池における低下の度合いは、劣化していない蓄電池のそれに比べて大きいことが知られている。特許文献１には、このような端子間電圧の違いに着目して、電気自動車に使用される組電池を構成する各蓄電池の異常を判定する技術が開示されている。
【０００５】
また、端子間電圧の低下の度合いが大きいということは、蓄電池の内部インピーダンスが大きくなっていることを意味する。すなわち、電池の劣化が進むと内部インピーダンスが増加する。特許文献２には、このような内部インピーダンスの増加に着目して、組電池を構成する各蓄電池の劣化度合いを判定する技術が記載されている。
【特許文献１】特開２００４−３１１２０号公報（要約書、第００１９段落）
【特許文献２】特開２００２−１０１５７１号公報（要約書、第００１４段落）
【発明の開示】
【発明が解決しようとする課題】
【０００６】
しかしながら、上記特許文献１に記載されている技術では、所定容量ΔＡｈだけの放電が必要である。このために、特許文献１では、わざわざ空調装置を運転したり車輌を走行することで強制放電をしていた。上記特許文献２に記載されている技術でも同様で、蓄電池にリプル電流を発生させて放電させる必要があり、このために、サイリスタ整流器の充電電圧を強制的に上下させていた。
【０００７】
このように強制放電を行う蓄電池劣化判定では、蓄電池劣化判定のためだけに電力を利用することになり、省エネの観点から問題があった。
【０００８】
従って、本発明の課題の一つは、強制的な放電を行うことなく、劣化など、蓄電池の異常を判定することができる蓄電池管理装置を提供することにある。
【課題を解決するための手段】
【０００９】
上記課題を解決するための本発明に係る蓄電池管理装置は、蓄電池の劣化を判定するための蓄電池管理装置であって、前記蓄電池の端子間電圧を定期的に測定して、その測定結果を電圧記憶部に記憶する電圧測定部と、前記蓄電池の充放電電流に、所定の変動があったことを検出する充放電電流変動検出部と、前記電圧記憶部から、前記変動の前後に測定された端子間電圧を取得して、その変化量を取得する端子間電圧変化量取得部と、前記端子間電圧変化量取得部により取得された変化量に基づき、前記蓄電池の異常の有無を判定する異常有無判定部と、を含むことを特徴とする。これによれば、負荷電流の変動があったことを検出して、そのときの端子間電圧の変化により蓄電池の異常の有無を判定することができるので、強制的な放電を行うことなく、劣化など、蓄電池の異常を判定することができる。
【００１０】
また、上記蓄電池管理装置において、前記異常有無判定部は、前記端子間電圧変化量取得部により取得された変化量と、前記充放電電流変動検出部により検出された変動の変動量と、に基づいて、前記蓄電池の異常の有無を判定する、こととしてもよい。上述のように、蓄電池は、劣化が進むと内部インピーダンスが増加する。この内部インピーダンスは、蓄電池の端子間電圧の変化量と、該蓄電池の充放電電流の変動量と、により算出される。よって、上記蓄電池管理装置は、上記構成により蓄電池の異常の有無を判定することができる。
【００１１】
また、この蓄電池管理装置において、前記蓄電池の、所定の時点での内部インピーダンスを記憶する内部インピーダンス記憶部、をさらに含み、前記異常有無判定部は、前記端子間電圧変化量取得部により取得された変化量と、前記充放電電流変動検出部により検出された変動の変動量と、に基づいて求められる前記蓄電池の内部インピーダンスと、前記内部インピーダンス記憶部に記憶される内部インピーダンスと、を比較することにより、前記蓄電池の異常の有無を判定する、こととしてもよい。これによれば、記憶しておいた内部インピーダンスと、測定したばかりの端子間電圧の変化量及び充放電電流の変動量に基づいて求められる内部インピーダンスと、を比較することにより蓄電池の内部インピーダンスの増大を判定し、増大の程度によって、劣化など蓄電池の異常の有無を判定することができる。
【００１２】
また、この蓄電池管理装置において、前記端子間電圧変化量取得部により取得された変化量と、前記充放電電流変動検出部により検出された変動の変動量と、に基づいて前記蓄電池の内部インピーダンスを算出する算出部、をさらに含み、前記異常有無判定部は、所定回数にわたり前記算出部により算出された内部インピーダンスの平均を、前記記憶部に記憶される内部インピーダンスと比較する、こととしてもよい。これによれば、所定回数にわたって算出した内部インピーダンスの平均値を用いて異常の有無を判定するようにしているので、より的確に異常の有無を判定できるようになる。
【００１３】
さらに、上記各蓄電池管理装置において、前記異常有無判定部により前記蓄電池に異常があると判定された場合に、その旨をユーザに対して通知する通知部、をさらに含むこととしてもよい。これによれば、ユーザは蓄電池の異常を認識し、必要な対応（交換など）をとることができるようになる。
【００１４】
また、上記各蓄電池管理装置において、前記蓄電池の平均環境温度を取得する平均環境温度取得部と、前記平均環境温度に基づき、前記蓄電池の寿命を推定する寿命推定部と、をさらに含むこととしてもよい。蓄電池の寿命（Ｙ）は、蓄電池の平均環境温度（Ｔ）が１０度上がると１／２になることが知られており（アレニウス則。Ｙ＝Ａ×２＾（−Ｔ／１０）（Ａは定数））、上記蓄電池管理装置は、平均環境温度を取得することで蓄電池の寿命を推定することができる。
【００１５】
また、この蓄電池管理装置において、前記蓄電池の充放電電流の１日の変動を示す変動推移情報を、日種別ごとに記憶する変動推移情報記憶部と、当日の日種別を取得する当日日種別取得部と、前記寿命推定部により推定された寿命に基づき、前記蓄電池の容量を推定する蓄電池容量推定部と、前記当日の日種別に対応付けて記憶される変動推移情報と、前記蓄電池容量推定部により推定された容量と、に基づき、前記蓄電池の持ち時間を推定する持ち時間推定部と、をさらに含むこととしてもよい。こうすれば、上記蓄電池管理装置は、蓄電池の持ち時間を推定することができる。
【００１６】
また、上記蓄電池管理装置において、当該蓄電池管理装置は、複数の前記蓄電池により構成される組電池の劣化を判定するために用いられ、前記電圧測定部は、前記組電池の端子間電圧を定期的にさらに測定して、その測定結果を記憶し、前記充放電電流変動検出部は、前記組電池の充放電電流に所定の変動があったことをさらに検出し、前記異常有無判定部は、前記端子間電圧変化量取得部により取得された前記各蓄電池の端子間電圧の変化量と、前記充放電電流変動検出部により検出された前記各蓄電池の充放電電流の変動の変動量と、に基づいて求められる前記各蓄電池の内部インピーダンスと、前記端子間電圧変化量取得部により取得された前記組電池の端子間電圧の変化量と、前記充放電電流変動検出部により検出された前記組電池の充放電電流の変動の変動量と、に基づいて求められる前記組電池の内部インピーダンスと、に基づき、前記組電池の異常の有無を判定する、こととしてもよい。複数の蓄電池から構成される組電池では、個々の蓄電池が劣化していなくともその接続部分などの異常により使用不可になる場合がある。この場合、接続部分がインピーダンスを有しており、その値は、組電池の内部インピーダンスと、各蓄電池の内部インピーダンスと、に基づいて算出することができる。上記蓄電池管理装置によれば、この接続部分のインピーダンスに基づいて、組電池全体についての異常の有無を判定することができる。
【発明の効果】
【００１７】
強制的な放電を行うことなく、個々の蓄電池の劣化や接続異常など、組電池の異常を判定することができる。
【発明を実施するための最良の形態】
【００１８】
本発明の実施の形態について、図面を参照しながら説明する。
【００１９】
図１は、本実施の形態にかかる蓄電池管理システム１のシステム構成及び機能ブロックを示す図である。同図に示すように、蓄電池管理システム１は蓄電池管理装置１０、組電池６０、負荷６１、操作電源部６２、遠隔監視装置６３、遠隔監視センタ６４を含んで構成される。
【００２０】
組電池６０は、複数の蓄電池を直並列に組み合わせたものであり、負荷６１及び蓄電池管理装置１０の駆動電源として設置されている。本実施の形態では、組電池６０は商業ビルに設置されており、負荷６１は該商業ビルにおいて利用されるパソコンやエアコンなどの電化製品である。
【００２１】
蓄電池管理装置１０は、組電池６０又は商用電源を駆動電源として動作するとともに、商用電源から蓄電池管理装置１０に対して電力が供給されているとき、この電力により組電池６０を充電する。操作電源部６２は、組電池６０又は商用電源から供給される電力の電圧を、蓄電池管理装置１０の定格電圧（４８Ｖ）に変換する。
【００２２】
蓄電池管理装置１０は、組電池６０を構成する個々の蓄電池の劣化や、その接続部分の異常など、組電池６０の異常を判定する。また、商用電源の停電時には、組電池６０の持ち時間を推定する。
【００２３】
遠隔監視装置６３は、保守者が蓄電池管理装置１０の判定結果を監視するために蓄電池管理装置１０と接続されたコンピュータであり、蓄電池管理装置１０と同じビル内に設置される。遠隔監視センタ６４は、複数のビルにそれぞれ設置される遠隔監視装置６３を統合管理するために各遠隔監視装置６３と接続しているコンピュータであり、例えば地域ごとの拠点ビルに設けられる。
【００２４】
以下、蓄電池管理装置１０の処理について、詳細に説明する。以下ではまず、組電池６０を構成する個々の蓄電池の劣化や、その接続部分の異常など、組電池６０の異常を判定する処理について説明する。
【００２５】
図１に示すように、蓄電池管理装置１０は機能的に、電圧測定部１１、切替部１２、電流測定部１３−１乃至ｎ（ｎは１以上の整数）、電流測定部１４、蓄電池温度測定部１５、環境温度測定部１６、ＣＰＵ２０、メモリ４０、インターフェイス部５０、表示部５１を含んで構成される。ＣＰＵ２０はさらに変化量取得部２１、変動検出部２２、インピーダンス算出部２３、異常有無判定部２４、通知部２５、平均環境温度取得部２６、寿命推定部２７、容量推定部２８、日種別取得部２９、持ち時間推定部３０を含んで構成され、メモリ４０はさらに電圧記憶部４１、インピーダンス記憶部４２、変動推移記憶部４３、カレンダー記憶部４４、環境温度記憶部４５を含んで構成される。
【００２６】
電圧測定部１１は測定端子を有し、組電池６０を構成する各蓄電池及び組電池６０の端子間電圧を定期的に測定して、その測定結果を電圧記憶部４１に記憶させる。切替部１２は、電圧測定部１１が各蓄電池及び組電池６０の端子間電圧を測定することができるよう、その測定端子の接続位置を切り替える。
【００２７】
電流測定部１４は負荷６１に流れる電流（負荷電流）を測定し、変動検出部２２に出力する。また、電流測定部１３−１乃至ｎは、各蓄電池の充放電電流を測定し、変動検出部２２に出力する。
【００２８】
変動検出部２２は、電流測定部１４から出力される負荷電流の値に基づき、負荷電流に所定の変動があったことを検出し、その変動量を取得するとともに、電流測定部１３−１乃至ｎから出力される充放電電流の値に基づき、組電池６０を構成する各蓄電池の充電放電電流の、上記所定の変動があった際の変動量をも取得する。
【００２９】
ここで、負荷電流の変動について説明する。図２は、負荷電流の１日の変動をグラフにして示した図である。同図中、曲線Ｌ１は実際に計測された負荷電流の例を示している。曲線Ｌ１に示されるように、負荷電流の値は、５時から１０時にかけて急上昇する。これは、出勤してきた人が負荷６１の電源を次々に投入することによるものである。負荷電流は、平日には毎日ほぼ同じように変動する。
【００３０】
変化量取得部２１は、変動検出部２２が上記所定の変動を検出した場合、その変動の前後に測定された各蓄電池及び組電池６０の端子間電圧を電圧記憶部４１から取得し、その変化量を取得する。
【００３１】
インピーダンス算出部２３は、変化量取得部２１により取得された組電池６０の端子間電圧の変化量と、変動検出部２２により検出された変動の変動量と、に基づいて組電池６０の内部インピーダンスを算出する。同様に、インピーダンス算出部２３は、変化量取得部２１により取得された各蓄電池の端子間電圧の変化量と、電流測定部１３−１乃至ｎから変動検出部２２に入力された各蓄電池の充放電電流の上記検出された変動に対する変動量と、に基づいて各蓄電池の内部インピーダンスを算出する。そして、算出したこれらの内部インピーダンスを、インピーダンス記憶部４２に記憶させる。
【００３２】
異常有無判定部２４は、変化量取得部２１により取得された組電池６０を構成する各蓄電池の端子間電圧の変化量に基づき、該各蓄電池の劣化の有無を判定する。具体的には、異常有無判定部２４は、変化量取得部２１により取得された各蓄電池の端子間電圧の変化量と、変動検出部２２により取得された各蓄電池の充放電電流の変動量と、に基づいて、各蓄電池の劣化の有無を判定する。より具体的には、異常有無判定部２４は、変化量取得部２１により取得された各蓄電池の端子間電圧の変化量と、変動検出部２２により取得された各蓄電池の充放電電流の変動量と、に基づいてインピーダンス算出部２３により算出される各蓄電池の内部インピーダンスと、インピーダンス記憶部４２に記憶される各蓄電池の過去の内部インピーダンスと、を比較することにより、各蓄電池の劣化の有無を判定する。なおこの場合において、異常有無判定部２４はインピーダンス算出部２３により算出された各蓄電池の内部インピーダンス所定回数分の平均と、インピーダンス記憶部４２に記憶される各蓄電池の過去の所定時点での内部インピーダンスと、を比較することとしてもよい。
【００３３】
異常有無判定部２４は、また、インピーダンス算出部２３により算出された各蓄電池の内部インピーダンスと、同じくインピーダンス算出部２３により算出された組電池６０の内部インピーダンスと、に基づき、組電池６０を構成する各蓄電池の接続部分について、異常の有無を判定する。具体的には、異常有無判定部２４は、インピーダンス算出部２３により算出された組電池６０の内部インピーダンスと、インピーダンス記憶部４２に記憶される組電池６０の過去の内部インピーダンスと、を比較することにより、組電池６０の内部インピーダンスの異常の有無を判定する。そして、各蓄電池が劣化していないにも関わらず組電池６０の内部インピーダンスに異常があると判定された場合には、蓄電池の接続部分に異常があると判定する。
【００３４】
通知部２５は、異常有無判定部２４により個々の蓄電池に劣化があると判定された場合、又はその接続部分に異常があると判定された場合、その旨を保守者に対して通知する。具体的には、表示部５１はディスプレイを備えており、通知部２５は、このディスプレイにおいて表示する。さらに、インターフェイス部５０を介して接続される遠隔監視装置６３に対して、異常発生を知らせる信号を送出する。この信号を受信した遠隔監視装置６３は、保守者に対して異常発生を通知する。
【００３５】
なお、蓄電池温度測定部１５は、組電池６０を構成する各蓄電池の表面温度を測定しており、異常有無判定部２４は、この表面温度が所定値を上回っている蓄電池について、異常であると判断することとしてもよい。また、電圧測定部１１に測定された各蓄電池の電圧が、所定値を下回っているものについても、異常であると判断することとしてもよい。この場合、通知部２５は、これらの異常についても、上記同様保守者に対して通知することが望ましい。
【００３６】
次に、商用電源の停電時に組電池６０の持ち時間を推定する処理について説明する。
【００３７】
環境温度測定部１６は、定期的に組電池６０の環境温度を測定し、環境温度記憶部４５に記憶させる。平均環境温度取得部２６は、環境温度記憶部４５に記憶される環境温度を読み出し、組電池６０を構成する各蓄電池それぞれの使用開始以降の環境温度の平均値（平均環境温度）を算出する。
【００３８】
寿命推定部２７は、平均環境温度取得部２６により算出された平均環境温度と、に基づき、各蓄電池について、使用開始から使用できなくなるまでの期間の長さ（各蓄電池の寿命）を推定する。具体的には、上記アレニウス則に基づき、各蓄電池の寿命を算出する。
【００３９】
容量推定部２８は、寿命推定部２７により推定された各蓄電池の寿命に基づき、各蓄電池の蓄電池容量（絶対容量）を推定する。この推定について、図３を参照しながら以下で説明する。
【００４０】
図３は、蓄電池容量と蓄電池寿命の関係を示す図である。蓄電池容量は、使用開始後時間が経つとともに曲線Ｌ３のように変化する。そして、蓄電池容量が使用開始時の８０％になったとき、蓄電池の寿命が尽きる（同図に示す蓄電池の寿命は１０年であることになる）。平均環境温度によって蓄電池寿命が変化する（アレニウス則）ということは、蓄電池容量が使用開始時の８０％に達するまでの期間が変化するということを意味している。
【００４１】
容量推定部２８は、この曲線Ｌ３を直線Ｌ４（基準容量線と呼ばれる。）で近似する。そして、寿命推定部２７により推定された蓄電池寿命と、該蓄電池寿命までの残り時間と、の比を算出し、さらにこの比と直線Ｌ４とに基づいて現在の蓄電池容量を算出し、蓄電池容量の推定結果とする。
【００４２】
カレンダー記憶部４４は毎日の日種別を記憶している。ここでは毎日を平日、土曜日、休日のいずれかに分類して日種別とする。日種別取得部２９は、カレンダー記憶部４４から当日の日種別を取得する。
【００４３】
変動検出部２２は、電流測定部１４から入力される負荷電流の１日の変動を、変動推移情報として取得する。負荷電流の変動は、実際には図２に示す曲線Ｌ１のように連続したものとなるが、変動検出部２２は、５分間隔の平均負荷電流を変動推移情報として取得する。図２に示す棒グラフは、こうして記憶される平均負荷電流を模式的に示したものである。
【００４４】
変動検出部２２はさらに、日種別取得部２９から当日の日種別を取得し、過去に既に記憶している当日と同じ日種別の日についての変動推移情報を変動推移記憶部４３から取得する。そして、過去の変動推移情報と、新たに取得した変動推移情報と、の平均値を、変動推移情報として変動推移記憶部４３に記憶させる。
【００４５】
持ち時間推定部３０は、日種別取得部２９により取得される当日の日種別に対応付けて変動推移記憶部４３に記憶される変動推移情報と、容量推定部２８により推定される各蓄電池の蓄電池容量と、に基づいて各蓄電池の持ち時間を推定する。
【００４６】
この持ち時間推定について、再度図２を参照しながら説明する。上述のように、図２に示す棒グラフは、変動推移記憶部４３に記憶される変動推移情報を示している。持ち時間推定部３０は、変動推移情報から５分ごとの平均負荷電流を取得し、５分を乗算することにより、５分ごとの負荷容量を算出する。ここで、Ａ点（５時ちょうど）において停電があったとすると、持ち時間推定部３０はＡ点から以後の負荷容量を積算し、容量推定部２８により推定される各蓄電池の蓄電池容量の合計（以下、組電池６０の蓄電池容量と称する。）を上回る時刻を取得する。持ち時間推定部３０は、こうして取得される時刻の５分前の時刻までの時間を、持ち時間として推定する。例えば、取得される時刻が１５時ちょうどであったとすると、持ち時間推定部３０は、５時から１４時５５分までの９時間５５分を持ち時間として推定することになる。
【００４７】
なお、持ち時間推定部３０は、一旦上述のようにして持ち時間を算出した後、負荷容量の実績に基づいて、定期的に持ち時間の残り時間を算出することとしてもよい。つまり、ある時点において、蓄電池容量から負荷容量の実績を減算した結果を蓄電池容量残量として取得し、変動推移情報から算出されるその時点以後の負荷容量の積算が蓄電池容量残量を上回る時刻の５分前の時刻までの時間を、持ち時間の残り時間として算出することとしてもよい。
【００４８】
通知部２５は、こうして推定された持ち時間及びその残り時間を保守者に対して通知する。具体的には、表示部５１のディスプレイにおいて表示するとともに、インターフェイス部５０を介して接続される遠隔監視装置６３に対して、持ち時間又はその残り時間を示す信号を送出する。この信号を受信した遠隔監視装置６３は、保守者に対して持ち時間又はその残り時間を通知する。
【００４９】
以上説明したように、蓄電池管理装置１０は、負荷電流の変動があったことを検出して、そのときの端子間電圧の変化により組電池６０及び組電池６０を構成する各蓄電池の異常の有無を判定することができるので、強制的な放電を行うことなく、組電池６０を構成する各蓄電池の劣化や蓄電池間の接続異常など、組電池６０の異常を判定することができる。
【００５０】
また、蓄電池管理装置１０は、平均環境温度を取得することで蓄電池の寿命を推定することができ、さらに持ち時間及びその残り時間を推定することができる。
【００５１】
なお、本発明は上記実施の形態に限定されるものではない。例えば、持ち時間推定部３０は、図２に示す曲線Ｌ１を補正して曲線Ｌ２を取得し、この曲線Ｌ２に基づいて持ち時間を推定することとしてもよい。曲線Ｌ２は、曲線Ｌ１に比べて負荷電流の値を所定量上げたものである。この補正により、持ち時間が短めに推定され、急激に負荷電流が増えたことによる予期しない停電の発生を防止することができる。
【図面の簡単な説明】
【００５２】
【図１】本発明の実施の形態に係る蓄電池管理システムのシステム構成及び機能ブロックを示す図である。
【図２】本発明の実施の形態に係る充放電電流の変動を示す図である。
【図３】本発明の実施の形態に係る蓄電池容量と蓄電池寿命の関係を示す図である。
【符号の説明】
【００５３】
１  蓄電池管理システム、１０  蓄電池管理装置、１１  電圧測定部、１２  切替部、１３  電流測定部、１４  電流測定部、１５  蓄電池温度測定部、１６  環境温度測定部、２０  ＣＰＵ、２１  変化量取得部、２２  変動検出部、２３  インピーダンス算出部、２４  異常有無判定部、２５  通知部、２６  平均環境温度取得部、２７  寿命推定部、２８  容量推定部、２９  日種別取得部、３０  持ち時間推定部、４０  メモリ、４１  電圧記憶部、４２  インピーダンス記憶部、４３  変動推移記憶部、４４  カレンダー記憶部、４５  環境温度記憶部、５０  インターフェイス部、５１  表示部、６０  組電池、６１  負荷、６２  操作電源部、６３  遠隔監視装置、６４  遠隔監視センタ。
【図１】
2007271583.tif 000003
【図２】
2007271583.tif 000004
【図３】
2007271583.tif 000005